(57)【要約】【課題】メンテナンス等を行うオペレータの安全性を高めることができる新聞自動販売機の新聞収納ラックを提供すること。【解決手段】新聞が収納されるラックと、ラックの側方に配設された駆動ユニットと、駆動ユニットに回動可能に取り付けられ、ラックの奥方から前方に移動させられるアームと、アームに回動可能に取り付けられるとともに、針が装着されたハンド５３とを備え、ハンド５３を降ろした状態でアームをラックの奥方から前方に移動させることにより、針５４１が新聞を引っ掛けて新聞をラックから繰り出す一方、ハンド５３を持ち上げた状態でラックに新聞が収納される新聞自動販売機の新聞収納ラックにおいて、ハンド５３は、ラックに収納した新聞から離反することにより、装着された針５４１を覆う一方、ラックに収納した新聞に接することにより、装着された針５４１を露出させるカバー５５を備えるようにした。【選択図】        図６
2010009404.tif 000002
【特許請求の範囲】
【請求項１】
新聞が収納されるラックと、該ラックの側方に配設された駆動ユニットと、該駆動ユニットに回動可能に取り付けられ、ラックの奥方から前方に移動させられるアームと、該アームに回動可能に取り付けられるとともに、針が装着されたハンドとを備え、ハンドを降ろした状態でアームをラックの奥方から前方に移動させることにより、針が新聞を引っ掛けて新聞をラックから繰り出す一方、ハンドを持ち上げた状態でラックに新聞が収納される新聞自動販売機の新聞収納ラックにおいて、
前記ハンドは、ラックに収納した新聞から離反することにより、装着された針を覆う一方、ラックに収納した新聞に接することにより、装着された針を露出させるカバー部材を備えたことを特徴とする新聞自動販売機の新聞収納ラック。
【請求項２】
新聞が収納されるラックと、該ラックの側方に配設された駆動ユニットと、該駆動ユニットに回動可能に取り付けられ、ラックの奥方から前方に移動させられるアームと、該アームに回動可能に取り付けられるとともに、針が装着されたハンドとを備え、ハンドを降ろした状態でアームをラックの奥方から前方に移動させることにより、針が新聞を引っ掛けてラックから新聞を繰り出す一方、ハンドを持ち上げた状態でラックに新聞が収納される新聞自動販売機の新聞収納ラックにおいて、
前記ハンドは、待機状態で針を隠す一方、新聞を繰り出す力が作用した場合に針を出すカバー部材を備えたことを特徴とする新聞自動販売機の新聞収納ラック。
【発明の詳細な説明】
【技術分野】
【０００１】
本発明は、新聞を販売する新聞自動販売機の新聞収納ラックに関するものである。
【背景技術】
【０００２】
新聞を販売する新聞自動販売機は、前面が開口した箱状の本体キャビネットと、本体キャビネットの前面開口を閉塞する外扉とを備えている。本体キャビネットには、上下方向に複数段の棚が設けてあり、各棚には、新聞収納ラックが搭載してある。新聞収納ラックは、引き出し可能に構成された箱状のラック（ストック部）と、格納されたラックから新聞を繰り出す搬出装置とを備えている。ラックは、前面及び上面が開口してあり、販売する新聞を積層した状態で収納できるようになっている。搬出装置は、駆動ユニット、駆動ユニットに回動可能に取り付けられ、後方から前方に移動させられるアーム、アームに回動可能に取り付けられるとともに、新聞を引っ掛ける針が装着されたハンドを備えている。そして、ハンドを降ろした状態で自動販売機本体から販売指令を受信すると、駆動ユニットがアームを後方から前方に移動させることにより、針が新聞を引っ掛けてラックから新聞を一冊ずつ繰り出すようになっている。そして、繰り出された新聞は、外扉に設けられた取出口に搬出されるようになっている（例えば、非特許文献１参照）。
【０００３】
ところで、新聞を入れ替えたり、補充したり、あるいは、駆動ユニットのメンテナンス等を行う場合には、ハンドを持ち上げ、本体キャビネットの内壁面に設けたフック等に引っ掛けるようになっている。
【０００４】
【非特許文献１】近畿車輛株式会社  「近畿車輌-新聞自動販売機-KNC-10」［平成２０年６月１日検索］、インターネット＜URL：http://www.kinkisharyo.co.jp/ja/sanki/sa-seihin/sa-knc-10.htm＞
【発明の開示】
【発明が解決しようとする課題】
【０００５】
しかしながら、持ち上げたハンドに装着された針は、新聞を入れ替えたり、補充したり、あるいは駆動ユニット等のメンテナンスを行うオペレータに正対することになり、危険である。
【０００６】
本発明は、上記実情に鑑みて、新聞を入れ替えたり、補充したり、あるいは駆動ユニット等のメンテナンスを行うオペレータの安全性を高めることができる新聞自動販売機の新聞収納ラックを提供することを目的とする。
【課題を解決するための手段】
【０００７】
上記の目的を達成するために、本発明の請求項１に係る新聞自動販売機の新聞収納ラックは、新聞が収納されるラックと、該ラックの側方に配設された駆動ユニットと、該駆動ユニットに回動可能に取り付けられ、ラックの奥方から前方に移動させられるアームと、該アームに回動可能に取り付けられるとともに、針が装着されたハンドとを備え、ハンドを降ろした状態でアームをラックの奥方から前方に移動させることにより、針が新聞を引っ掛けてラックから新聞を繰り出す一方、ハンドを持ち上げた状態でラックに新聞が収納される新聞自動販売機の新聞収納ラックにおいて、前記ハンドは、ラックに収納した新聞から離反することにより、装着された針を覆う一方、ラックに収納した新聞に接することにより、装着された針を露出させるカバー部材を備えたことを特徴とする。
【０００８】
また、本発明の請求項２に係る新聞自動販売機の新聞収納ラックは、新聞が収納される
ラックと、該ラックの側方に配設された駆動ユニットと、該駆動ユニットに回動可能に取り付けられ、ラックの奥方から前方に移動させられるアームと、該アームに回動可能に取り付けられるとともに、針が装着されたハンドとを備え、ハンドを降ろした状態でアームをラックの奥方から前方に移動させることにより、針が新聞を引っ掛けて新聞をラックから繰り出す一方、ハンドを持ち上げた状態でラックに新聞が収納される新聞自動販売機の新聞収納ラックにおいて、前記ハンドは、待機状態で針を隠す一方、新聞を繰り出す力が作用した場合に針を出すカバー部材を備えたことを特徴とする。
【発明の効果】
【０００９】
本発明に係る新聞自動販売機の新聞収納ラックは、新聞の入れ替え、補充時のほか、メンテナンス等のためハンドを持ち上げると、カバー部材がハンドに装着された針を覆うので、新聞を入れ替えたり、補充したり、駆動ユニット等のメンテナンスを行うオペレータの安全性を高めることができる。
【００１０】
本発明に係る新聞自動販売機の新聞収納ラックは、待機状態で針を隠すので、新聞の入れ替え、補充時のほか、駆動ユニット等のメンテナンスを行うオペレータの安全性を高めることができる。
【発明を実施するための最良の形態】
【００１１】
以下に添付図面を参照して、本発明に係る新聞自動販売機の新聞収納ラックの好適な実施の形態を詳細に説明する。なお、この実施の形態によりこの発明が限定されるものではない。
【００１２】
図１は、本発明の実施の形態である新聞自動販売機の新聞収納ラックを適用した新聞自動販売機を示す正面図である。新聞自動販売機は、新聞を販売する自動販売機であって、一台で複数種類（図１に示した新聞自動販売機は最大７種類）の新聞を販売できるようになっている。
【００１３】
図１に示すように、新聞自動販売機は、前面が開口した箱状の本体キャビネット１と、本体キャビネット１の前面開口を閉塞する外扉２とを備えている。
【００１４】
本体キャビネット１と外扉２とは、鋼板を適宜組み合わせたもので、本体キャビネット１の左側縁には、外扉２が支承してある。また、外扉２の右側中程には、ハンドルロック２１が配設してあり、外扉２を閉塞した状態で施錠可能となっている。
【００１５】
図１に示すように、外扉２の右側には、硬貨投入口２２、紙幣挿入口２３、電子マネー受付部２４、一体表示器２５、返却レバー２６、返却口２７が配設してある。硬貨投入口２２は、硬貨を受け付けるための開口であって、硬貨投入口２２から投入された硬貨は、外扉２の背面内側に配設したコインメカニズム（硬貨処理装置）（図示せず）に収容されるようになっている。紙幣挿入口２３は、紙幣を受け付けるための開口であって、紙幣挿入口２３から挿入された紙幣は、外扉２の背面内側に配設したビルバリデータ（紙幣処理装置）（図示せず）に収容されるようになっている。電子マネー受付部２４は、電子マネーがチャージされたカード等の記録媒体を受け付ける部分であって、記録媒体がかざされると、記録媒体との間で電子マネーデータを送受信することにより、対価を収受するようになっている。一体表示器２５は、販売中、釣り銭切れ、投入金額、お札禁止等の各種情報を表示するためのものである。返却レバー２６は、取引の中断を指示するためのものであって、返却レバー２６が操作されると、取引が中断され、釣り銭等を返却口２７に放出するようになっている。
【００１６】
また、外扉２には、表示選択装置３と新聞取出口４とが上下方向に複数設けてある（図
１に示した新聞自動販売機は７つの表示選択装置３と７つの新聞取出口４とが設けてある）。表示選択装置３と新聞取出口４とは、１対１の関係を有している。
【００１７】
表示選択装置３は、新聞の紙名（朝刊、夕刊の別を含む）が記載されたプレート３１と、プレート３１に記載された新聞を選択する選択ボタン３２とを有している。プレート３１は、外扉２の背面に装着してあり、外扉２を開放した状態で入れ替え可能となっている。選択ボタン３２は、例えば、点灯可能な押しボタンスイッチで構成してあり、選択可能な場合に点灯し、選択された場合には一定時間点滅するように制御されるようになっている。なお、最上段の表示選択装置３には、上方に隣接する展示部３３が設けてある。展示部３３には、透明なパネル３３ａが嵌め込んであり、注目記事が掲載された新聞を展示できるようになっている。
【００１８】
新聞取出口４は、新聞を取り出すための開口であって、その開口幅は、新聞が通るように、新聞の長手方向の長さと略同一となるように形成してある。また、新聞取出口４の奥方上方部には、フラッパ（図示せず）が支承してある。フラッパは、奥方から手前側に向けて漸次低くなるように傾斜した状態で新聞取出口４を閉塞するもので、販売待機状態でフラッパが新聞取出口４を閉塞するようになっている。
【００１９】
一方、本体キャビネット１には、本発明の実施の形態である新聞自動販売機の新聞収納ラックが上下方向に沿って複数搭載してある（図１に示した新聞自動販売機は、７つの新聞収納ラックが搭載してある）。
【００２０】
（実施の形態１）
図２及び図３は、本発明の実施の形態１である新聞自動販売機の新聞収納ラックを示す斜視図であって、図２はハンドを降ろした状態を示し、図３はアームを持ち上げた状態を示している。
【００２１】
新聞収納ラック５は、販売する新聞を積層した状態で収納するとともに、販売指令にしたがって新聞を一冊ずつ繰り出すものであって、図２及び図３に示すように、搬出装置５０とラック６０とを有している。
【００２２】
搬出装置５０は、ラック６０から新聞を繰り出すためのもので、駆動ユニット５１、アーム５２、ハンド５３を備えている。
【００２３】
駆動ユニット５１は、本体キャビネット１に搭載してある。駆動ユニット５１は、アーム５２を奥方から前方に移動させるためのもので、アーム５２の一端が回動可能に取り付けてある。駆動ユニット５１は、自動販売機本体からの販売指令にしたがってアーム５２を奥方から前方に移動させ、その後、アーム５２を前方から奥方に移動させるようになっている。
【００２４】
アーム５２は、板状体（例えば、鋼板）の両縁を下方に折り曲げたものであって、軽量化等のため、複数の穴が切り抜いてある。アーム５２の他端には、ハンド５３が回動可能に取り付けてある。
【００２５】
ハンド５３は、板状体（例えば、鋼板）を略Ｌ字状に折り曲げたもので、軽量化等のため、複数の穴が切り抜いてある。ハンド５３の左側と右側には、それぞれ針ユニット５４が取り付けてあり、その中央がアーム５２に取り付けられている。このため、右側の針ユニット５４と左側の針ユニット５４とに均等に力が作用するようになっている。
【００２６】
図４に示すように、針ユニット５４は、針５４１をハンド５３に装着するためのもので
あり、針５４１が装着してあり、この針ユニット５４をハンド５３に取り付けることにより、ハンド５３に針５４１が装着されるようになっている。針５４１は、新聞を引っ掛けるためのもので、針５４１が新聞を引っ掛けた状態で駆動ユニット５１を駆動すると、アーム５２が奥方から前方に移動し、ハンド５３が新聞を繰り出すようになっている。
【００２７】
図４に示すように、ハンド５３は、カバー（カバー部材）５５を備えている。カバー５５は、アーム５２を持ち上げることにより、針５４１が新聞の紙面から離反した場合に針５４１を覆うものであり（図５参照）、ハンド５３を降ろすことにより、カバー５５が新聞の紙面に接した場合に針５４１を露出させるようになっている（図６参照）。
【００２８】
ラック６０は、本体キャビネット１に引き出し可能に搭載してあり、ラック６０を格納した場合に駆動ユニットの側方に位置するようになっている。ラック６０は、長手方向がラック６０の幅方向となるようにして新聞を収納するもので、鋼板を折り曲げることにより構成してある。ラック６０は、前面と上面とが開口した箱状を呈しており、ラック６０に収納された新聞は前面開口から一冊ずつ繰り出されるようになっている。
【００２９】
図２及び図３に示すように、ラック６０の底面には、ラック６０の底部を構成する底上部材６１が取り付けてある。底上部材６１は、針５４１を保護するためのもので、板状体（例えば、鋼板）の両縁をそれぞれ階段状に折り曲げることにより、上面がラック６０の底面から僅かに浮くように構成してある。また、底上部材６１の上面には、切り抜き６１ａが設けてある。切り抜き６１ａは、針５４１の移動域にわたり針５４１が挿通するようにしたもので、矩形に形成してある。
【００３０】
搬出装置５０とラック６０との間には、ラックアーム連動手段７が設けてある。ラックアーム連動手段７は、ラック６０に連動させてアーム５２を持ち上げたり、降ろしたりするものであって、アーム５２の下方を移動するように設けられている。ラックアーム連動手段７は、搬出装置５０の側面奥方に回動可能に取り付けられた細長い部材であって、ラック６０が格納された状態で上動操作することにより、アーム５２が持ち上げられる一方、ラック６０が格納された状態で下動操作することにより、アーム５２（ハンド５３）が降ろされるようになっている。
【００３１】
また、ラックアーム連動手段７は、ラック６０を本体キャビネット１に格納した状態でラック６０の引き出しを不能とするロック手段を兼ねたものであって、下面に係止片（図示せず）を有している。したがって、ラック６０が格納された状態でラックアーム連動手段７を上動操作すると、ラック６０と係止片の係止状態が解除され、ラック６０が引き出し可能になるとともに、アーム５２が持ち上げられた状態となり、その状態を維持することになる。一方、ラック６０が格納された状態でラックアーム連動手段７を下動操作すると、ラック６０と係止片とが係止状態となり、ラック６０が引き出し不能になるとともに、アーム５２（ハンド５３）が降ろされることになる。
【００３２】
さらに、ラックアーム連動手段７は、ラック格納後のアーム５２の移動によって、ラック６０の引き出しを不能にするとともに、アーム５２を降ろすようになっている。すなわち、ラックアーム連動手段７は、下動操作することなく、外扉２を閉めてしまった場合であっても、ラック６０の引き出しを不能にするとともに、アーム５２（ハンド５３）を降ろすようになっている。具体的には、ラックアーム連動手段７の上動状態をアーム５２の移動によって解除し、ラックアーム連動手段７を下動状態にするようになっている。
【００３３】
上述した実施の形態１である新聞自動販売機の新聞収納ラックを搭載した新聞自動販売機において、新聞を入れ替えたり、補充したり、あるいは駆動ユニット５１等のメンテナンスを行う場合には、まず、外扉２を開放することになる。そして、ラックアーム連動手
段７を上動操作すると、ラック６０と係止片の係止状態が解錠され、ラック６０を引き出し可能になるとともに、アーム５２を持ち上げた状態になる。このとき、ハンド５３に装着された針５４１は、カバー５５によって覆われることになる。
【００３４】
この状態でラック６０を本体キャビネット１から引き出しても、ラック６０がアーム５２やハンド５３が干渉することない。そして、本体キャビネット１からラック６０を引き出した状態で、新聞を入れ替えたり、補充したりすることになる。
【００３５】
新聞の入れ替えや補充が終了した後、ラック６０を本体キャビネット１に格納し、さらに、ラックアーム連動手段７を下動操作すると、ラック６０と係止片とが係止状態となり、ラック６０が引き出し不能になるとともに、アーム５２を降ろし、ハンド５３が新聞の紙面に接することになる。このとき、ハンド５３に装着された針５４１は露出することになる。そして、外扉２を閉塞することになる。
【００３６】
一方、ラックアーム連動手段７を下動操作することなく、外扉２を閉塞した場合には、ラックアーム連動手段７の上動状態をアーム５２の移動によって解除し、ラックアーム連動手段７を下動状態にする。
【００３７】
上述した実施の形態１である新聞自動販売機の新聞収納ラック５によれば、ラック６０が格納された状態でラックアーム連動手段７を上動操作すれば、ラック６０が引き出し可能になるとともに、アーム５２が持ち上げられることになる。一方、ラック６０が格納された状態でラックアーム連動手段７を下動操作すれば、ラック６０が引き出し不能になるとともに、アーム５２（ハンド５３）が降ろされることになる。したがって、ラック６０の引出操作とアームの持上操作が一連の操作となり、アーム５２を持ち上げることなくラック６０を引き出してしまったりすることがなくなる。
【００３８】
また、ラックアーム連動手段７を下動操作することなく、外扉２を閉塞してしまった場合でも、ラックアーム連動手段７の上動状態をアーム５２の移動によって解除し、ラックアーム連動手段を下動状態にするので、新聞を補充したにもかかわらず、売り切れ状態のままになる事態が生じない。
【００３９】
さらに、アーム５２が持ち上げられた場合に、ハンド５３に装着された針５４１は、カバー５５によって覆われることになるので、新聞を入れ替えたり、補充したり、あるいは駆動ユニット５１等のメンテナンスを行うオペレータの安全性を高めることができる。
【００４０】
（実施の形態２）
図７及び図８は、本発明の実施の形態２である新聞自動販売機の新聞収納ラックを示す斜視図であって、図７はハンドを降ろした状態を示し、図８はアームを持ち上げた状態を示している。
【００４１】
実施の形態２である新聞自動販売機の新聞収納ラックは、ラックアーム連動手段８を除いて、実施の形態１である新聞自動販売機の新聞収納ラック５と異なるところはないので、同一の箇所には同一の符号を付して説明を省略する。
【００４２】
実施の形態２のラックアーム連動手段８は、図７及び図８に示すように、搬出装置５０に隣接するラック６０の左側面に取り付けてある。ラックアーム連動手段８は、ラック６０に連動させてアーム５２を持ち上げたり、降ろしたりするものであって、アーム５２の下方を移動するように設けられている。ラックアーム連動手段８は、前方から奥方に向けて暫時高くなる傾斜面を有した傾斜板８１であって、ラック６０の引出動作に連動してアーム５２を持ち上げる一方、ラックの格納動作に連動してアーム５２（ハンド５３）を降
ろすようになっている。
【００４３】
上述した実施の形態２である新聞自動販売機の新聞収納ラックを搭載した新聞自動販売機において、新聞を入れ替えたり、補充したりする場合には、まず、外扉２を開放することになる。そして、図８に示すように、ラック６０を本体キャビネット１から引き出すと、傾斜板８１（ラックアーム連動手段８）がアーム５２を持ち上げ、ハンド５３が新聞の紙面から離反することになる。このとき、ハンド５３に装着された針５４１は、カバー５５によって覆われることになる。
【００４４】
そして、本体キャビネット１からラック６０を引き出した状態で、新聞を入れ替えたり、補充したりすることになる。新聞の入れ替えや補充が終了した後、図７に示すように、ラック６０を本体キャビネット１に格納すると、傾斜板８１（ラックアーム連動手段８）がアーム５２を降ろし、ハンド５３が紙面に接することになる。このとき、ハンド５３に装着された針５４１は露出することになる。そして、外扉２を閉塞することになる。
【００４５】
上述した実施の形態２である新聞自動販売機の新聞収納ラック５によれば、外扉２を開放した後、ラック６０を引き出せば、傾斜板８１（ラックアーム連動手段８）を介して、アームが持ち上げられることになる。したがって、ラックの引出操作とアームの持上操作が一連の操作となり、アーム５２を持ち上げることなくラック６０を引き出してしまったりすることがなくなる。
【００４６】
また、引き出したラック６０を格納すれば、傾斜板８１（ラックアーム連動手段８）を介して、アーム５２が降ろされることになる。したがって、ラックの引出操作とアームの下動操作が一連の操作となり、アーム５２を降ろすことなく外扉２を閉塞することがなくなる。
【００４７】
上述した実施の形態１及び２において、ハンド５３が備えたカバー５５は、針５４１が紙面から離反した場合に針５４１を覆うようにしたが、図９に示すように、カバー９は、新聞の繰り出し方向に力が作用した場合にのみ針５４１が突出するようにしてもよい。このカバー９は、針５４１に軸方向に移動可能であって、力が作用した場合にのみ突出するようにバネ９１によって付勢してある。このように、新聞の繰り出し方向に力が作用した場合にのみ針５４１が突出するようにすれば、新聞の繰り出し時を除いて針５４１が出ないため、より安全なものとなる。
【図面の簡単な説明】
【００４８】
【図１】本発明の実施の形態である新聞自動販売機の新聞収納ラックを適用した新聞自動販売機を示す正面図である。
【図２】本発明の実施の形態１である新聞自動販売機の新聞収納ラックを示す斜視図であって、ハンドを降ろした状態を示したものである。
【図３】本発明の実施の形態１である新聞自動販売機の新聞収納ラックを示す斜視図であって、アームを持ち上げた状態を示したものである。
【図４】新聞を搬出するハンドを示す斜視図である。
【図５】図４に示したハンドの右側面図であって、針を隠した状態を示したものである。
【図６】図４に示したハンドの右側面図であって、針を出した状態を示したものである。
【図７】本発明の実施の形態２である新聞自動販売機の新聞収納ラックを示す斜視図であって、ラックを格納した状態を示したものである。
【図８】本発明の実施の形態２である新聞自動販売機の新聞収納ラックを示す斜視図であって、ラックを格納した状態を示したものである。
【図９】他の形態に係るハンドを示す右側面図である。
【符号の説明】
【００４９】
１    本体キャビネット
２    外扉
３    表示選択装置
４    新聞取出口
５    新聞収納ラック
５０    搬出装置
５１    駆動ユニット
５２    アーム
５３    ハンド
５４    針ユニット
５４１    針
５５    カバー
６０    ラック
６１    底上部材
７    ラックアーム連動手段
８    ラックアーム連動手段
８１    傾斜板
９    カバー
９１    バネ
【図１】
2010009404.tif 000003
【図２】
2010009404.tif 000004
【図３】
2010009404.tif 000005
【図４】
2010009404.tif 000006
【図５】
2010009404.tif 000007
【図６】
2010009404.tif 000008
【図７】
2010009404.tif 000009
【図８】
2010009404.tif 000010
【図９】
2010009404.tif 000011